(57)【要約】【課題】ケーブル群を長くした余長部分を設けることができるようにして印字ヘッドのメンテナンスや交換を行う際の作業性の向上を図ることができるようにするとともに、このケーブル群の余長部分が障害にならないようにする。【解決手段】用紙としてのラベル連続体が搬送される搬送経路の一方側に設けられ搬送経路上に搬送されるラベル連続体に印字を行う印字ヘッド４と、搬送経路の一方側に延在し先端が印字ヘッドに接続されるケーブル群２０と、印字ヘッド４が着脱可能に取り付けられるヘッドブラケット５と、搬送経路の他方側に設けられ印字ヘッド４が対峙するプラテンローラ６とを備え、搬送経路の一方側に、搬送経路の一方側に延在するケーブル群２０を収納可能な収納空間３１を有した収納ケース３０を設けた。【選択図】図２
2019081374.tif 000002
【特許請求の範囲】
【請求項１】
用紙が搬送される搬送経路の一方側に設けられ該搬送経路上に搬送される用紙に印字を行う印字ヘッドと、上記搬送経路の一方側に延在し先端が上記印字ヘッドに接続されるケーブル群と、上記印字ヘッドが着脱可能に取り付けられるヘッドブラケットと、上記搬送経路の他方側に設けられ上記印字ヘッドが対峙するプラテンローラとを備えたプリンタにおいて、
上記搬送経路の一方側に、上記ケーブル群を収納可能な収納空間を有した収納ケースを設けたことを特徴とするプリンタ。
【請求項２】
上記収納ケースを、上記ケーブル群の基端側が挿通され該ケーブル群を上記収納空間に引き通す第一開放口と、上記搬送経路の一方側に延在するケーブル群を上記収納空間に出し入れ可能にする第二開放口とを備えて構成したことを特徴とする請求項１記載のプリンタ。
【請求項３】
上記収納ケースを、開口を有した容器状のケース本体と、該ケース本体の開口を開閉可能に塞ぐ蓋とを備えて構成し、上記第一開放口及び第二開放口を上記ケース本体に形成したことを特徴とする請求項２記載のプリンタ。
【請求項４】
上記ケース本体を、底壁と該底壁に連設され開口を形成する側壁とを備えて構成し、該底壁が上記搬送経路側に向くように配置し、上記第一開放口を上記搬送経路の幅方向一側壁に形成し、上記第二開放口を上記底壁に形成したことを特徴とする請求項３記載のプリンタ。
【請求項５】
上記蓋の一側縁に係止突起を設ける一方、上記ケース本体の側壁に上記蓋の係止突起が着脱可能に係合する係止凹部を設け、該蓋の他側縁に上記係止突起が上記係止凹部に係合した状態で上記ケース本体の側壁に当接する当接片を設け、該当接片を上記ケース本体の側壁に解除可能に止着する止着手段を設けたことを特徴とする請求項４記載のラベル供給装置。
【請求項６】
上記止着手段を、上記ケース本体の側壁の当接片に対応する部位に形成された雌ネジと、上記当接片に設けられ上記雌ネジに対応した取付孔と、該取付孔に挿通されて上記雌ネジに螺合する雄ネジ部及び雄ネジ部に連続し該雄ネジを手動操作で回転させるボルト頭を有したボルトとを備えて構成したことを特徴とする請求項５記載のラベル供給装置。
【請求項７】
上記ヘッドブラケットは、回動軸を中心に回動可能に機台に設けられ、回動により印字ヘッドをプラテンローラに対峙させる印字位置及びプラテンローラから離間する離間位置の２位置に位置させられ、該離間位置において、上記印字ヘッドを上記ヘッドブラケットから取り外したとき、上記ケーブル群を上記収納ケースから引出し可能にしたことを特徴とする請求項１乃至６何れかに記載のプリンタ。
【発明の詳細な説明】
【技術分野】
【０００１】
本発明は、搬送される用紙に印字ヘッドにより印字を行うプリンタに係り、特に、印字ヘッドを着脱可能に取り付けてメンテナンスや交換を可能にしたプリンタに関する。
【背景技術】
【０００２】
従来から、プリンタとしては、例えば、特許文献１（特開平１１−１９９０９７号公報）に掲載されたものが知られている。図５に示すように、このプリンタＰａは、用紙として粘着剤が塗布されたラベルを帯状台紙に仮着して複数列設したラベル連続体ＬＡを対象とし、ラベル連続体ＬＡを巻回したラベルロール１００を供給リール１０１に取り付け、この供給リール１０１からラベル連続体ＬＡを搬送ローラ１０２により引き出して搬送し、印字部１０３により印字を行ってラベルを供給している。印字部１０３は、サーマル型の印字ヘッド１０４及びプラテンローラ１０５を備え、リボン供給機構１０６から供給されるインクリボン１０７を介してラベルに熱転写により印字する。１０８はガイドローラ、１０９は印字部１０３がラベルＬの所定位置に印字を行うことができるように、ラベル連続体ＬＡの搬送過程でラベルＬの位置を光学的に検知するセンサである。
【０００３】
また、この種のプリンタＰａの印字部１０３においては、印字ヘッド１０４は、用紙としてのラベル連続体ＬＡが搬送される搬送経路の一方側に設けられており、図６に示すように、搬送経路の一方側に延在するケーブル群１１０の先端にコネクタ１１１を介して着脱可能に接続されている。また、印字ヘッド１０４は、ヘッドブラケット１１２に着脱可能に取り付けられている。ヘッドブラケット１１２は、回動可能に機台に設けられており、回動により印字ヘッド１０４を搬送経路の他方側に設けられたプラテンローラ１０５に対峙させる印字位置及びプラテンローラ１０５から離間する離間位置の２位置に位置させられる。そして、印字ヘッド１０４のメンテナンスや交換を行うときは、ヘッドブラケット１１２を回動させて印字ヘッド１０４を離間位置に位置させ、この離間位置において、印字ヘッド１０４をヘッドブラケット１１２から取り外し、ケーブル群１１０をある程度引き出して、ケーブル群１１０が接続された状態、あるいは、コネクタ１１１を外して印字ヘッド１０４をケーブル群１１０から分離して行うようにしている（例えば、特許文献２（特開２００５−５３１５９号公報）に掲載）。
【先行技術文献】
【特許文献】
【０００４】
【特許文献１】特開平１１−１９９０９７号公報
【特許文献２】特開２００５−５３１５９号公報
【発明の開示】
【発明が解決しようとする課題】
【０００５】
ところで、上記従来のプリンタＰａにおいて、印字ヘッド１０４のメンテナンスや交換を行うときは、図６に示すように、印字ヘッド１０４をヘッドブラケット１１２から取り外し、ケーブル群１１０をある程度引き出して行うが、ケーブル群１１０が短いと、印字ヘッドがヘッドブラケット１１２やその周囲の機器に近接するので、作業スペースが極めて狭く、作業性が悪いという問題があった。
これを解決するために、ケーブル群１１０を長くし、印字ヘッド１０４をヘッドブラケット１１２やその周辺機器から遠ざけることができるようにし、作業スペースを広くすることが考えられる。しかしながら、ケーブル群１１０を長くすると、印字ヘッド１０４をヘッドブラケット１１２に取り付けた際、ケーブル群１１０のゆとりを持たせた余長部分が搬送経路の一方側に集合して周辺機器に接触したり引っ掛かって障害になりやすくなる問題が生じる。
【０００６】
本発明は上記の問題点に鑑みてなされたもので、ケーブル群を長くした余長部分を設けることができるようにして印字ヘッドのメンテナンスや交換を行う際の作業性の向上を図ることができるようにするとともに、このケーブル群の余長部分が障害にならないようにしたプリンタを提供することを目的とする。
【課題を解決するための手段】
【０００７】
上記課題を解決するため、本発明のプリンタは、用紙が搬送される搬送経路の一方側に設けられ該搬送経路上に搬送される用紙に印字を行う印字ヘッドと、上記搬送経路の一方側に延在し先端が上記印字ヘッドに接続されるケーブル群と、上記印字ヘッドが着脱可能に取り付けられるヘッドブラケットと、上記搬送経路の他方側に設けられ上記印字ヘッドが対峙するプラテンローラとを備えたプリンタにおいて、上記搬送経路の一方側に、該搬送経路の一方側に延在するケーブル群を収納可能な収納空間を有した収納ケースを設けた構成としている。
【０００８】
本装置では、ケーブル群を長くしてゆとりを持たせた余長部分を設けるようにする。これにより、印字ヘッドをヘッドブラケットに装着した状態では、搬送経路の一方側に延在するケーブル群は収納ケースに収納されている。そして、印字ヘッドのメンテナンスや交換を行う際は、印字ヘッドをヘッドブラケットから取り外し、収納ケースからケーブル群を引き出し、あるいは、引き出しながら、印字ヘッドを装置外部へ移動させ、ケーブル群が接続された状態、若しくは、印字ヘッドをケーブル群から外して分離して行う。この場合、ケーブル群を長くしてあるので、その余長部分だけ印字ヘッドをヘッドブラケットやその周辺機器から遠ざけることができ、そのため、作業スペースを広くすることができることから、作業性の向上を図ることができる。また、印字ヘッドをヘッドブラケットに装着する際には、印字ヘッドの装着過程でケーブル群を収納ケースに収容しながら、あるいは、装着後にまとめてケーブル群を収納ケースに収容する。ケーブル群を収納ケースに収容した状態では、ケーブル群が露出しないので、ケーブル群の余長部分が搬送経路の一方側に集合して周辺機器に接触したり引っ掛かって障害になる事態を防止することができる。
【０００９】
そして、必要に応じ、上記収納ケースを、上記ケーブル群の基端側が挿通され該ケーブル群を上記収納空間に引き通す第一開放口と、上記搬送経路の一方側に延在するケーブル群を上記収納空間に出し入れ可能にする第二開放口とを備えて構成している。
これにより、ケーブル群は、第二開放口を通して引き出され、あるいは、収納される。この場合、ケーブル群は、第一開放口に挿通され、収納ケースの第二開放口を通って印字ヘッドに至るので、集約されており、そのため、搬送経路の一方側に延在するケーブル群を収納空間から容易に引出しを行うことができるとともに、収納する際も収納空間に入れ易くなる。また、ケーブル群を収納ケースに収納した状態では絡まることなくまとめることができるようになる。
【００１０】
また、必要に応じ、上記収納ケースを、開口を有した容器状のケース本体と、該ケース本体の開口を開閉可能に塞ぐ蓋とを備えて構成し、上記第一開放口及び第二開放口を上記ケース本体に形成した構成としている。
これにより、収納ケースの第二開放口からケーブル群を引き出す際に、蓋を開け、ケース本体の開口から手を差し伸べてケーブル群を押出すようにして引出しを補助することができ、それだけ、ケーブル群の引出しを容易にすることができ、より一層作業性を向上させることができる。一方、収納ケースの第二開放口からケーブル群を収納空間に入れる際には、蓋を開け、ケース本体の開口から手を差し伸べてケーブル群を引っ張るようにして収納を補助することができ、それだけ、ケーブル群の収納を容易にすることができる。また、ケーブル群が収納ケースに収納されたならば、蓋をケース本体に装着する。これにより、ケーブル類が保護される。
【００１１】
更に、必要に応じ、上記ケース本体を、底壁と該底壁に連設され開口を形成する側壁とを備えて構成し、該底壁が上記搬送経路側に向くように配置し、上記第一開放口を上記搬送経路の幅方向一側壁に形成し、上記第二開放口を上記底壁に形成した構成としている。搬送経路側に向く底壁に第二開放口を設けたので、印字ヘッドは搬送経路側にあることから、ケーブル群の出し入れを容易に行うことができる。
【００１２】
更にまた、必要に応じ、上記蓋の一側縁に係止突起を設ける一方、上記ケース本体の側壁に上記蓋の係止突起が着脱可能に係合する係止凹部を設け、該蓋の他側縁に上記係止突起が上記係止凹部に係合した状態で上記ケース本体の側壁に当接する当接片を設け、該当接片を上記ケース本体の側壁に解除可能に止着する止着手段を設けた構成としている。
これにより、蓋を取り付けるときは、蓋の係止突起をケース本体の係止凹部に差し込んで係合させ、止着手段により当接片をケース本体に止着する。一方、蓋を取り外すときは、止着手段を解除し、蓋の係止突起をケース本体の係止凹部から抜き取る。そのため、蓋の取付け，取外しが極めて簡単であり、また、蓋の保持が確実になる。
【００１３】
また、必要に応じ、上記止着手段を、上記ケース本体の側壁の当接片に対応する部位に形成された雌ネジと、上記当接片に設けられ上記雌ネジに対応した取付孔と、該取付孔に挿通されて上記雌ネジに螺合する雄ネジ部及び雄ネジ部に連続し該雄ネジを手動操作で回転させるボルト頭を有したボルトとを備えて構成している。手動操作でボルトを回転させる簡易な操作で、蓋の取付け，取外しができ、この点でも、作業性が向上させられる。
【００１４】
そして、本装置において、上記ヘッドブラケットは、回動軸を中心に回動可能に機台に設けられ、回動により印字ヘッドをプラテンローラに対峙させる印字位置及びプラテンローラから離間する離間位置の２位置に位置させられ、該離間位置において、上記印字ヘッドを上記ヘッドブラケットから取り外したとき、上記ケーブル群を上記収納ケースから引出し可能にした構成にすることができる。
【発明の効果】
【００１５】
本発明によれば、ケーブル群を長くしてゆとりを持たせた余長部分を設けることができ、印字ヘッドのメンテナンスや交換を行う際は、その余長部分だけ印字ヘッドをヘッドブラケットやその周辺機器から遠ざけることができ、そのため、作業スペースを広くすることができることから、作業性の向上を図ることができる。また、印字ヘッドをヘッドブラケットに装着した際には、ケーブル群を収納ケースに収容することができ、この状態では、ケーブル群が露出しないので、ケーブル群の余長部分が搬送経路の一方側に集合して周辺機器に接触したり引っ掛かって障害になる事態を防止することができる。
【図面の簡単な説明】
【００１６】
【図１】本発明の実施の形態に係るプリンタを示す斜視図である。
【図２】本発明の実施の形態に係るプリンタを印字ヘッドを取り外すときの状態で示す斜視図である。
【図３】本発明の実施の形態に係るプリンタの要部を示す側面断面図である。
【図４】本発明の実施の形態に係るプリンタの要部を示す正面断面図である。
【図５】従来のプリンタの一例を示す図である。
【図６】従来のプリンタの印字ヘッドと周辺機器の関係を示す斜視図である。
【発明を実施するための形態】
【００１７】
以下、添付図面に基づいて、本発明の実施の形態に係るプリンタについて説明する。
図１に示すように、本発明の実施の形態に係るプリンタＰは、用紙として、粘着剤が塗布されたラベルＬを帯状台紙Ｄに仮着して複数列設したラベル連続体ＬＡを対象にしている。このプリンタＰは、ラベルＬの列設方向に沿って搬送してラベルＬを供給し、図５に示した従来例と同様、ラベル連続体ＬＡを巻回したラベルロール（図示せず）からラベル連続体ＬＡを機台１に設けた搬送ローラ（図示せず）を有した搬送部２により引き出して搬送し、印字部３により印字を行ってラベルＬを供給している。
【００１８】
印字部３は、図１乃至図４に示すように、用紙としてのラベル連続体ＬＡが搬送される搬送経路の一方側に設けられ搬送経路上に搬送されるラベルＬに印字を行うサーマル型の印字ヘッド４と、印字ヘッド４が着脱可能に取り付けられるヘッドブラケット５と、搬送経路の他方側に設けられ印字ヘッド４が対峙するプラテンローラ６とを備えて構成されている。印字ヘッド４は、リボン供給機構７から供給されるインクリボン８を介してラベルＬに熱転写により印字する。９はインクリボン８のロール９ａが装着されるロール軸、１０は使用されたインクリボン８を巻き取る巻取ロール１０ａが装着されるロール軸である。
【００１９】
また、ヘッドブラケット５は、回動軸１１を中心に回動可能に機台１に設けられており、回動により印字ヘッド４を搬送経路の他方側に設けられたプラテンローラ６に対峙させる印字位置Ｘ（図１，図３）及びプラテンローラ６から離間する離間位置Ｙ（図２）の２位置に位置させられる。ヘッドブラケット５の回動軸１１は機台１の側面板１ａとこの側面板１ａに複数の架設部材１２を介して固定された固定板１３との間に架設されている。また、ヘッドブラケット５は、図３に示すように、コイルスプリング１４で離間位置Ｙ方向に常時付勢されている。コイルスプリング１４は、一端がヘッドブラケット５に係止され、他端が機台１の側面板１ａと固定板１３との間に架設された架設部材１２に係止されている。図１及び図２に示すように、固定板１３には回動によりヘッドブラケット５をコイルスプリング１４の付勢力に抗して移動させ印字ヘッド４を印字位置Ｘに位置させるレバー１５が設けられており、レバー１５の先端の係止凹部１５ａを機台１１の係止ピン１５ｂに係止させることにより、ヘッドブラケット５を印字ヘッド４の印字位置Ｘでロックする。また、図１乃至図３に示すように、プラテンローラ６の下流側には帯状台紙Ｄを折り返してラベルＬを帯状台紙Ｄから剥がして供給する剥離板１６が設けられている。折り返された帯状台紙Ｄは排出ローラ１７により搬送されて装置の下側に排出される。また、側面板１ａと固定板１３との間には、インクリボン８のガイドローラ１８，１８及びガイド部材１９が架設されている。
【００２０】
また、印字ヘッド４には、図２乃至図４に示すように、搬送経路の一方側に延在するケーブル群２０の先端にコネクタ２１を介して着脱可能に接続されている。ケーブル群２０は、機台１の側面板１ａの所定位置に形成された貫通孔２２から集約されてヘッドブラケット５の下側の方へ延在している。ケーブル群２０には、その長くしてゆとりを持たせた余長部分を設けるようにしている。例えば、印字ヘッド４がヘッドブラケット５から外されて、装置外部に移動されたとき数十センチメートル程度装置から離間できる長さに設定されている。
【００２１】
そして、本実施の形態に係るプリンタＰにおいては、図１乃至図４に示すように、搬送経路の一方側に、ケーブル群２０を収納可能な収納空間３１を有した収納ケース３０が設けられている。収納ケース３０は、ヘッドブラケット５の上流側上部に配置され、機台１の側面板１ａと固定板１３との間に架設されている。詳しくは、収納ケース３０は、上側に開口３２を有した容器状のケース本体３３と、ケース本体３３の開口３２を開閉可能に塞ぐ蓋４０とを備えて構成されている。
【００２２】
ケース本体３３は、底壁３４と、底壁３４に連設され開口３２を形成する側壁３５とを備えて構成されている。底壁３４は上流側から下流側に向けて上向きに傾斜形成されており、ケース本体３３はこの底壁３４が搬送経路側に向くように配置されている。搬送経路の幅方向一側壁３５（ａ）は、側面板１ａの貫通孔２２の位置に接合されており、この一側壁３５には、貫通孔２２に対応して形成されるとともに、ケーブル群２０の基端側が挿通されケーブル群２０を収納空間３１に引き通す第一開放口３６が形成されている。また、底壁３４には、搬送経路の一方側に延在するケーブル群２０を収納空間３１に出し入れ可能にする第二開放口３７が形成されている。第二開放口３７は、底壁３４の面積の５０％〜７０％を切除した大きさに形成されている。
【００２３】
蓋４０は、ケース本体３３の開口３２を覆う大きさの板状に形成され、下流側の一側縁中央部に、係止突起４１が設けられている。一方、ケース本体３３の下流側の側壁３５中央部には蓋４０の係止突起４１が着脱可能に係合する係止凹部４２が設けられている。また、蓋４０の上流側の他側縁中央には、係止突起４１が上記係止凹部４２に係合した状態でケース本体３３の側壁３５に当接する当接片４３が折曲形成されている。また、この当接片４３をケース本体３３の側壁３５に解除可能に止着する止着手段４４が設けられている。
【００２４】
止着手段４４は、図３に示すように、ケース本体３３の側壁３５の当接片４３に対応する部位に形成された雌ネジ４５と、当接片４３に設けられ雌ネジ４５に対応した取付孔４６と、取付孔４６に挿通されて雌ネジ４５に螺合する雄ネジ部４７及び雄ネジ部４７に連続し雄ネジ部４７を手動操作で回転させるボルト頭４８を有したボルト４９とを備えて構成されている。取付孔４６は雄ネジ部４７の一般外径より小径に形成されており、雄ネジ部４７のボルト頭４８に隣接する基端部が雄ネジ部４７の一般外径より小径に形成され、この雄ネジ部４７の基端部が取付孔４６に挿通されている。そのため、ボルト４９は、その螺合解除時に、取付孔４６から抜け止めされ、蓋４０の当接片４３から離脱しないように保持される。また、ボルト頭４８には、手動操作し易いようにローレット加工が施されている。
【００２５】
従って、本発明の実施の形態に係るプリンタＰによれば、図３及び図４に示すように、印字ヘッド４をヘッドブラケット５に装着した状態では、搬送経路の一方側に延在するケーブル群２０は収納ケース３０に収納されている。ラベルＬに印字を行うときは、レバー１５を操作して、印字ヘッド４を印字位置Ｘに位置させ、搬送部２によりラベル連続体ＬＡを搬送し、印字部３の印字ヘッド４により印字を行う。
【００２６】
そして、印字ヘッド４のメンテナンスや交換を行う際は、図２に示すように、印字ヘッド４をヘッドブラケット５から取り外し、収納ケース３０から第二開放口３７を通してケーブル群２０を引き出し、あるいは、引き出しながら、印字ヘッド４を装置外部へ移動させ、ケーブル群２０が接続された状態、若しくは、印字ヘッド４をケーブル群２０から外して分離して行う。この場合、ケーブル群２０を長くしてあるので、その余長部分だけ印字ヘッド４をヘッドブラケット５やその周辺機器から遠ざけることができ、そのため、作業スペースを広くすることができることから、作業性の向上を図ることができる。
【００２７】
この場合、ケーブル群２０は、第一開放口３６に挿通され、収納ケース３０の第二開放口３７を通って印字ヘッド４に至るので、集約されており、そのため、搬送経路の一方側に延在するケーブル群２０を収納空間３１から容易に引出しを行うことができる。また、搬送経路側に向く底壁３４に第二開放口３７を設けたので、印字ヘッド４は搬送経路側にあることから、ケーブル群２０の引出しを容易に行うことができる。
【００２８】
更に、この場合には、蓋４０を開けて行うことができる。この蓋４０を取り外すときは、ボルト４９のボルト頭４８を回転させてボルト４９を螺合を解除し、蓋４０の係止突起４１をケース本体３３の係止凹部４２から抜き取る。手動操作でボルト４９を回転させる簡易な操作で、蓋４０の取外しができ、作業性が向上させられる。そして、この蓋４０を開けた状態では、ケース本体３３の開口３２から手を差し伸べてケーブル群２０を押出すようにして引出しを補助することができ、それだけ、ケーブル群２０の引出しを容易にすることができ、それだけ作業性を向上させることができる。
【００２９】
次に、印字ヘッド４をケーブル群２０のコネクタ２１に取り付けた状態で、印字ヘッド４をヘッドブラケット５に取り付ける際には、収納ケース３０の第二開放口３７からケーブル群２０を収納空間３１に入れる。この場合、印字ヘッド４の装着過程でケーブル群２０を収納ケース３０に収容しながら、あるいは、装着後にまとめてケーブル群２０を収納ケース３０に収容する。この場合にも、蓋４０を開けて行うことができる。この蓋４０を開けた状態では、ケース本体３３の開口３２から手を差し伸べてケーブル群２０を引っ張るようにして収納を補助することができ、それだけ、ケーブル群２０の収納を容易にすることができる。また、ケーブル群２０は、第一開放口３６に挿通され、収納ケース３０の第二開放口３７を通って印字ヘッド４に至るので、集約されており、そのため、収納する際も収納空間３１に入れ易くなる。また、ケーブル群２０を収納ケース３０に収納した状態では絡まることなくまとめることができるようになる。更に、搬送経路側に向く底壁３４に第二開放口３７を設けたので、印字ヘッド４は搬送経路側にあることから、この点でも、ケーブル群２０の収納を容易に行うことができる。
【００３０】
ケーブル群２０が収納ケース３０に収納されたならば、蓋４０をケース本体３３に装着する。この場合は、蓋４０の係止突起４１をケース本体３３の係止凹部４２に差し込んで係合させ、ボルト４９のボルト頭４８を回転させてねじ込み、当接片４３をケース本体３３に止着する。手動操作でボルト４９を回転させる簡易な操作で、蓋４０の取付けができ、この点でも、作業性が向上させられる。これにより、ケーブル類が保護される。
【００３１】
ケーブル群２０を収納ケース３０に収容した状態では、ケーブル群２０が露出しないので、ケーブル群２０の余長部分が搬送経路の一方側に集合して周辺機器に接触したり引っ掛かって障害になる事態を防止することができる。
【００３２】
尚、上記実施の形態では、インクリボン８を介して印字ヘッド４により印字を行うタイプのプリンタに本発明を適用したが、必ずしもこれに限定されるものではなく、ラベルＬに感熱紙を用いインクリボン８を用いないタイプのプリンタにも適用でき、適宜変更して差支えない。また、上記実施の形態では、用紙としてラベル連続体ＬＡを対象にしたが、必ずしもこれに限定されるものではなく、台紙なしのラベル連続体は勿論のこと、他の、どのような用紙であってもよく、適宜変更して差支えない。
【符号の説明】
【００３３】
Ｐ  プリンタ
ＬＡ  ラベル連続体（用紙）
Ｌ  ラベル
Ｄ  帯状台紙
１  機台
１ａ  側面板
２  搬送部
３  印字部
４  印字ヘッド
５  ヘッドブラケット
６  プラテンローラ
７  リボン供給機構
Ｘ  印字位置
Ｙ  離間位置
１１  回動軸
１３  固定板
２０  ケーブル群
２１  コネクタ
２２  貫通孔
３０  収納ケース
３１  収納空間
３２  開口
３３  ケース本体
３４  底壁
３５  側壁
３６  第一開放口
３７  第二開放口
４０  蓋
４１  係止突起
４２  係止凹部
４３  当接片
４４  止着手段
【図１】
2019081374.tif 000003
【図２】
2019081374.tif 000004
【図３】
2019081374.tif 000005
【図４】
2019081374.tif 000006
【図５】
2019081374.tif 000007
【図６】
2019081374.tif 000008
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
プリンタであって、
用紙が搬送される搬送経路の一方側に設けられ前記搬送経路上に搬送される用紙に印字を行う印字ヘッドと、
前記搬送経路の一方側に延在し先端が前記印字ヘッドに接続されるケーブル群と、
前記印字ヘッドが着脱可能に取り付けられるヘッドブラケットと、
前記搬送経路の他方側に設けられ前記印字ヘッドが対峙するプラテンローラと、
前記ケーブル群の引出し及び収納を補助可能なケース開口を有する容器状のケース本体と、
前記ケース開口を開閉可能に塞ぐ蓋と、
を備え、
前記ケーブル群の基端側が挿通され前記ケーブル群を収納可能な収納空間に引き通す第一開放口及び前記搬送経路の一方側に延在する前記ケーブル群を前記収納空間に出し入れ可能にする第二開放口を前記ケース本体に形成した、
プリンタ。
【請求項２】
プリンタであって、
用紙が搬送される搬送経路の一方側に設けられ前記搬送経路上に搬送される用紙に印字を行う印字ヘッドと、
前記搬送経路の一方側に延在し先端が前記印字ヘッドに接続されるケーブル群と、
前記印字ヘッドが着脱可能に取り付けられるヘッドブラケットと、
前記搬送経路の他方側に設けられ前記印字ヘッドが対峙するプラテンローラと、
底壁と前記底壁に連設され開口を形成する側壁とを設けたケース本体と、
を備え、
前記底壁が前記搬送経路側に向くように配置し、前記ケーブル群の基端側が挿通され前記ケーブル群を収納可能な収納空間に引き通す第一開放口を前記搬送経路の幅方向一側壁に形成し、前記搬送経路の一方側に延在する前記ケーブル群を前記収納空間に出し入れ可能にする第二開放口を前記底壁に形成した、
プリンタ。
【請求項３】
前記蓋の一側縁に係止突起を設ける一方、前記ケース本体の側壁に前記蓋の前記係止突起が着脱可能に係合する係止凹部を設け、前記蓋の他側縁に前記係止突起が前記係止凹部に係合した状態で前記ケース本体の側壁に当接する当接片を設け、前記当接片を前記ケース本体の側壁に解除可能に止着する止着手段を設けた請求項１記載のプリンタ。
【請求項４】
前記止着手段を、前記ケース本体の側壁の前記当接片に対応する部位に形成された雌ネジと、前記当接片に設けられ前記雌ネジに対応した取付孔と、前記取付孔に挿通されて前記雌ネジに螺合する雄ネジ部及び前記雄ネジ部に連続し前記雄ネジ部を手動操作で回転させるボルト頭を有したボルトとを備えて構成した請求項３記載のプリンタ。